(57)【特許請求の範囲】
【請求項１】
弓状に形成された固定アーチと、ハンドル部の開閉に応じて前記固定アーチに対して進退動する弓状の可動アーチを備え、当該固定アーチ及び可動アーチで睫毛を挟持してカールさせる睫毛カール器であって、
前記固定アーチと可動アーチを常に離間方向に付勢する付勢手段を備え、
前記ハンドル部は、前記固定アーチと連結固定された略直棒形状の第１のハンドル部と、当該第１のハンドル部から一端を枢支される略直棒形状の第２のハンドル部とを有してなり、
前記第１のハンドル部の断面が「コ字状」とされて凹部が形成されると共に、当該凹部に収まるように且つ当該凹部内を前記第１のハンドル部の長手方向にスライド可能に配置されたスライド体を備え、
当該スライド体の一端は前記可動アーチに連結されると共に他端は前記付勢手段に連結され、
前記付勢手段は前記第１のハンドル部の前記凹部に収まるように配置され、
前記第２のハンドル部の他端側から枢支されると共に前記スライド体に接続される付勢棒を備え、
前記スライド体と前記付勢棒との接続は、前記第２のハンドル部が前記第１のハンドル部と略並行となる位置にまで閉じた場合でも前記付勢手段の付勢力を前記スライド体を介して前記付勢棒に伝達せずに前記第２のハンドル部を閉じた状態のまま保持できる第１の嵌合位置と、前記付勢手段の付勢力を前記スライド体を介して前記付勢棒に伝達して前記第２のハンドル部を開いた状態に保持できる第２の嵌合位置に切り替え可能に構成されている
ことを特徴とする睫毛カール器。
【発明の詳細な説明】
【技術分野】
【０００１】
本発明は、美容・理容の技術分野に関する。
【背景技術】
【０００２】
従来、睫毛をカールさせるための睫毛カール器（ビューティフルカーラー、アイラッシュカーラー）は数多くの種類のものが存在している。
【０００３】
例えば特許文献１に記載の睫毛カール器は、弓状に形成された固定アーチ２２と、第１、第２のハンドル部１０、１２の開閉に応じてこの固定アーチ２２に対して進退動する弓状の可動アーチ１８（及び当該可動アーチ１８の表面に設置されたゴム体２０）を備え、固定アーチ２２及び可動アーチ１８（ゴム体２０）で睫毛を挟持して癖付けしカールさせる睫毛カール器である（図１０参照）。
【０００４】
ここで、固定アーチ２２は第２のハンドル部１２に連結固定されている。一方可動アーチ１８は第１のハンドル部１０に連結されている。更に両ハンドル部１０、１２は互いに枢支されている。また両ハンドル部１０、１２にはそれぞれ指を挿入して操作するための指挿入輪１０ａ、１２ａが形成されている。このような構造を採用していることによって、ハサミを持つようにして指挿入輪１０ａ、１２ａに指を通し、第１、第２のハンドル部１０、１２を開閉することによって固定アーチ２２に対して可動アーチ１８を進退動させ、睫毛を挟持することができる。
【先行技術文献】
【特許文献】
【０００５】
【特許文献１】特開２００４−２２９７２２号公報
【発明の概要】
【発明が解決しようとする課題】
【０００６】
しかしながら、第１、第２のハンドル部１０、１２を操作する為に設けられた指挿入輪１０ａ、１２ａの存在によって、両ハンドル部１０、１２を閉じた状態であってもハンドル開閉方向Ｗに相応のスペースを要し、鞄やポーチに収容する際に嵩張ってしまうという問題があった。また同様に商品流通段階でもパッケージが嵩張るため、輸送コストが割高になるという問題もあった。一方、これを嫌って指挿入輪１０ａ、１２ａを設けないようにすれば、ハンドル部１０、１２を閉じることはできても開き難く、操作性に問題が生じる。
【０００７】
そこで本発明は、操作性を犠牲にすることなく指挿入輪を無くし、且つ、未使用時（携帯時）にはハンドル部を折りたたむことによって携帯性を向上させた睫毛カール器を提供する事をその課題としている。
【課題を解決するための手段】
【０００８】
上記課題を解決するべく、請求項１に記載の本願発明は、弓状に形成された固定アーチと、ハンドル部の開閉に応じて前記固定アーチに対して進退動する弓状の可動アーチを備え、当該固定アーチ及び可動アーチで睫毛を挟持してカールさせる睫毛カール器であって、前記ハンドル部には、当該ハンドル部を開方に付勢する付勢手段と、当該付勢手段による付勢力を一時的に解除して前記ハンドル部を閉じ状態に保持できる付勢力解除手段と、を備えることを特徴とする睫毛カール器である。
【０００９】
このような構成を採用したことによって、ハンドル部の握力を緩めれば付勢手段によってハンドル部が自動的に開方に移動するため、指挿入輪を省略した場合でも操作は容易である。また、この付勢手段による開方への付勢力を一時的に解除することができる付勢力解除手段が備わっているので、これを利用して付勢力を解除すれば、ハンドル部を閉じ状態に保持することができ、特にハンドル部の開閉方向においてコンパクト化を図ることができる。
【００１０】
また、請求項２に記載の発明は、請求項１に加えて、前記ハンドル部が、前記固定アーチと連結固定された第１のハンドル部と、当該第１のハンドル部から枢支された第２のハンドル部とを有してなり、前記可動アーチが、前記第１のハンドル部に対して長手方向にスライド可能に配置されたスライド体に連結されていることを特徴とする睫毛カール器である。
【００１１】
このような構成を採用していることで、第１のハンドル部を基台として各可動部が動くので、睫毛を挟持する際に位置決めし易い。加えて、ハンドル開閉時（操作時）において、睫毛に対する位置ズレの発生を防止することができる。
【００１２】
請求項３に記載の発明は、請求項２に加えて、前記付勢手段が、前記第２のハンドル部における前記第１のハンドル部に枢支されている位置から一定距離離れた位置で枢支されると共に前記スライド体に係止可能な付勢棒と、前記スライド体と前記第１のハンドル部に架設された弾性体とを有してなることを特徴とする睫毛カール器である。
【００１３】
このような構成を採用していることによって、弾性体の弾力を利用して第１、第２のハンドル部を開方に付勢することができる。
【００１４】
請求項４に記載の発明は、請求項３に加えて、前記付勢力解除手段が、前記スライド体と前記付勢棒とを係止する係止部から連通し前記付勢棒を案内できるガイド溝であることを特徴とする睫毛カール器である。
【００１５】
このような構成を採用していることによって、未使用時は、付勢棒を係止部ではなくガイド溝側に移動させることによって、弾性体の弾力により発生する付勢力が、付勢棒を介して第２のハンドル部に伝わることを防止できる。即ち、両ハンドル部を閉じた状態に保持することができる。
【００１６】
請求項５に記載の発明は、請求項２〜４のいずれかに加えて、前記第１のハンドル部の断面が「コ字状」とされて凹部が形成されると共に、前記スライド体が当該凹部に収容されていることを特徴とする睫毛カール器である。
【００１７】
このような構成を採用していることで、コンパクト性を向上させるとともに、第１のハンドル部をスライド体のガイド役として機能させることができるので、精度の高いスライドを実現することができる。
【００１８】
請求項６に記載の発明は、請求項２〜５のいずれかに加えて、前記可動アーチが、前記スライド体から枢支されていることを特徴とする睫毛カール器である。
【００１９】
このような構成を採用していることによって、スライド体の動きを無理なく可動アーチに伝達することができ、可動アーチを真っ直ぐに固定アーチに対して進退動させることができる。即ち、スライド体がスライドしても可動アーチに無理な方向へのモーメントがかかることがない。
【００２０】
請求項７に記載の発明は、請求項１〜６のいずれかに加えて、前記可動アーチの表面には弾性体が弓状に配置されると共に、当該弾性体が弓状の凸方向にオフセット配置されていることを特徴とする睫毛カール器である。
【００２１】
このような構成を採用していることによって、固定枠に弾性体が接触した状態から更にハンドル部を握ると、当該弾性体が弾性変形しつつオフセット方向にズレが発生する。このズレによって挟持する睫毛を効率よくカールさせることができ、睫毛を一度挟持するのみで十分にカールさせることができる。即ち、繰り返し睫毛を挟持する必要がないので睫毛へのダメージを最小限に抑えることができる。
【００２２】
請求項８に記載の発明は、請求項１〜７のいずれかに加えて、前記第１のハンドル部にはハンドル操作時に第一指を位置決めするための位置決め凹部が形成されていることを特徴とする睫毛カール器である。
【００２３】
このような構成を採用していることによって、指挿入輪がなくとも、ハンドル操作時に第一指（親指）を正確に位置決めすることができる。即ち操作し易い。
【００２４】
請求項９に記載の発明は、請求項１〜８のいずれかに加えて、前記第２のハンドル部にはハンドル操作時に第二指若しくは第三指を位置決めするための位置決め凸部が形成されていることを特徴とする睫毛カール器である。
【００２５】
このような構成を採用していることによって、指挿入輪がなくとも、ハンドル操作時に第二指（人差し指）若しくは第三指（中指）を正確に位置決めすることができる。即ち操作し易い。
【発明の効果】
【００２６】
本発明を適用することで、未使用時にハンドルを折りたたんでコンパクトに収納でき、携帯性が向上する。
【図面の簡単な説明】
【００２７】
【図１】本発明に係る睫毛カール器の背面側斜視図である。
【図２】本発明に係る睫毛カール器の分解組み立て図である。
【図３】本発明に係る睫毛カール器の正面図である。
【図４】本発明に係る睫毛カール器の右側面図である。
【図５】図３におけるＡ−Ａ線に沿う断面図である。
【図６】本発明に係る睫毛カール器のハンドル部を開いている状態における右側面一部断面図である。
【図７】睫毛カール器の操作状態を示した図であって、ハンドルを握って閉じる前における（ａ）が全体図、（ｂ）がヘッド部拡大図、（ｃ）が同Ｂ-Ｂ線に沿う端面図である。
【図８】睫毛カール器の操作状態を示した図であって、ハンドルを握って途中まで閉じた状態における（ａ）が全体図、（ｂ）がヘッド部拡大図、（ｃ）が同Ｂ-Ｂ線に沿う端面図である。
【図９】睫毛カール器の操作状態を示した図であって、ハンドルを握って完全に閉じた状態における（ａ）が全体図、（ｂ）がヘッド部拡大図、（ｃ）が同Ｂ-Ｂ線に沿う端面図である。
【図１０】特許文献１に記載されている睫毛カール器の全体図である。
【発明を実施するための形態】
【００２８】
以下、添付図面を参照しつつ、本発明の実施形態の一例である睫毛カール器１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２９】
〈睫毛カール器の構成〉
本発明にかかる睫毛カール器１００は、主としてヘッド部１００ａと操作部（ハンドル部）１００ｂにより構成されている。このヘッド部１００ａは、睫毛を挟持してカールさせる部分であり、一方操作部１００ｂは手で握ってヘッド部１００ａの動きを操作・管理する部分である。なお、本明細書においては、当該睫毛カール器１００の使用時において使用者側に向く面を正面とし、それを基準に背面、右側面等と表現する。
【００３０】
ヘッド部１００ａは、主に固定アーチ１０２と当該固定アーチ１０２に対して進退動する可動アーチ１０４を備える。固定アーチ１０２は、背面側に向かって凸となるように弓状に形成されている。このような形状に形成されているのは睫毛が生えている形状に沿わせるためのものである。また当該固定アーチ１０２の上端が僅かに背面側に向って折り曲げられてリブ１０２ａが形成されており、曲げに対する剛性を確保している。
【００３１】
またこの固定アーチ１０２は自身の左右方向で枠体１０６に嵌合し固定されている。枠体１０６には嵌合穴１０６ｂが形成されていて、当該嵌合穴１０６ｂに対して固定アーチ１０２の両端部がそれぞれ嵌合する態様で固定される。更に枠体１０６にはガイド溝１０６ａが形成されていて、当該ガイド溝１０６ａに可動アーチ１０４両端の突起部１０４ａがスライド可能に嵌合している。
【００３２】
可動アーチ１０４は、固定アーチ１０２と同じく、背面側に向かって凸となるように弓状に形成されている。このような形状に形成されているのは睫毛が生えている形状に沿わせるためのものであると共に、固定アーチ１０２の形状に合わせるためのものである。この可動アーチ１０４は、断面が所謂「コ字状」に形成されており（図５、図７等参照）、上方側（固定アーチ１０２側）に凹部１０４ｂが形成されている。またこの凹部１０４ｂにゴム１０５（弾性体）が装着されている。なお、これら可動アーチ１０４及びゴム１０５は、固定アーチ１０２に対して（σ１分だけ）背面側に僅かにオフセット配置されている（図７（ｃ）参照）。
【００３３】
可動アーチ１０４には下方に伸びる２本の支持アーム１０８が一体的に形成されていて、それぞれの下端近傍にピン挿入穴１０８ｂが形成されている。またこの２本の支持アーム１０８は、ブリッジ１０８ａにより連結されている。
【００３４】
これら、固定アーチ１０２、可動アーチ１０４、ゴム１０５、枠体１０６及び支持アーム１０８によりヘッド部１００ａが構成されている。
【００３５】
一方、操作部１００ｂは主に、第１のハンドル部１１０、当該第１のハンドル部１００から枢支される第２のハンドル部１１２、スライド体１１４、付勢棒１１６及びスプリング（弾性体）１１８により構成される。
【００３６】
第１のハンドル部１１０は本実施形態においてはヘッド部１００ａを構成している枠体１０６と一体成形されている。この第１のハンドル部１１０は断面が所謂「コ字状」とされており、背面側に凹部１１０ａが形成されている。第１のハンドル部１１０の下端は丸く形成されると共に、当該下端近傍には凹部１１０ａ内を橋渡すように固定ピン１１０ｃが備わっている。また第１のハンドル部１１０の正面側下方にはちょうど親指（第一指）が収まる程度のアーチ状に窪んだ指止め（位置決め凹部）１１０ｂが形成されている。また、第１のハンドル部１１０の上方にはピン挿入穴１１０ｄが形成されている。
【００３７】
第１のハンドル部１１０の凹部１１０ａには、スライド体１１４がスライド可能に収容されている。このスライド体１１４は、第１のハンドル部１１０の長手方向に沿ってスライドすることができる。スライド体１１４も断面が「コ字状」の部材であり、上端近傍にピン挿入穴１１４ａが形成され、下端側に固定ピン１１４ｂが橋設されている。スライド体１１４の両側面には内外に貫通する態様で矢形状の貫通孔が形成されており、当該矢形状の鏃（やじり）部分に相当するのが係止部１１４ｃであり、矢柄（やがら）部分に相当するのが当該係止部１１４ｃから連通したガイド溝１１４ｄである。またスライド体１１４の上端側において、支持アーム１０８を介して可動アーチ１０４と連結している。なおスライド体１１４と指示アーム１０８とは、ピン１２２及び止め輪１２３によって互いに枢支される態様で連結している。
【００３８】
第２のハンドル部１１２は、第１のハンドル部１１０と略同じサイズに形成された、断面「コ字状」の部材である。両端にピン挿入穴１１２ａ、１１２ｂが設けられると共に、背面側に部材の一部がアーチ状に曲げ引き出された指止め（位置決め凸部）１１２ｃが形成されている。また、当該第２のハンドル部１１２の一端（上端）は、ピン１２０及び止め輪１２１によって第１ハンドル部１１０から枢支されている。即ち、ピン１２０が、第１のハンドル部１１０のピン挿入穴１１０ｄ及び第２のハンドル部１１２のピン挿入穴１１２ａに挿通され、更に反対側で止め輪１２１と連結している。
【００３９】
付勢棒１１６は断面「コ字状」の部材であり、一端にはピン状突起１１６ａが形成され、他端にはピン挿入穴１１６ｂが形成されている。ピン状突起１１６ａは、スライド体１１４に形成されている矢形状の貫通孔（係止部１１４ｃ及びガイド溝１１４ｄ）に嵌合している。一方他端は、ピン１２４及び止め輪１２５によって、第２のハンドル部１１２の下端側から枢支されている。
【００４０】
なお、スプリング（弾性体）１１８には両端に引掛部１１８ａを有していて、当該引掛部１１８ａの一方がスライド体１１４の固定ピン１１４ｂに掛設されると共に、他方が第１のハンドル部１１０の固定ピン１１０ｃに掛設されている。即ち、このスプリング１１８により、スライド体１１４は常に下方に付勢されている。
【００４１】
なお、付勢手段、及び付勢力解除手段については、以下の作用・機能のところで併せて説明する。
【００４２】
〈睫毛カール器の作用・機能〉
上記のような部材で構成し組み付ける結果、図６に示しているように、付勢棒１１６のピン状突起１１６ａをスライド体１１４の係止部１１４ｃの位置に合わせると、スプリング１１８が発生する弾力を付勢棒１１６を介して第２のハンドル部１１２へと伝達することができる。即ち、スプリング１１８が縮もうとする力によりスライド体１１４が下方に付勢されると、その付勢力はスライド体１１４の係止部１１４ｃに嵌合しているピン状突起１１６ａを介して付勢棒１１６に伝達されるので、付勢棒１１６全体を下方に押し下げようとする付勢力が作用する。更にこの付勢力は、付勢棒１１６の下端に設けられたピン挿入穴１１６ｄに挿入されるピン１２４を介して、第２のハンドル部１１２へと伝達される。第２のハンドル部１１２はその上端側で第１のハンドル部１１０から枢支されているので、当該付勢力が作用すると、第１のハンドル部１１０に対して回動する。結果として第１のハンドル部１１０に対して第２のハンドル部１１２が開くのである。即ち、これらスプリング１１８の弾力を第２のハンドル部１１２側へと伝達する機構全体が「付勢手段」である。
【００４３】
一方、図５に示しているように、携帯時など睫毛カール器１００を使用しない場合は、ハンドル部を閉じておくことによって、コンパクトに収納することができる。より具体的には、スライド体１１４の係止部１１４ｃの位置にあったピン状突起１１６ａを、当該係止部１１４ｃに連通するガイド溝１１４ｄ側へと移動させる。そうするとスプリング１１８の弾力により生じる付勢力（付勢棒１１６を下方へと付勢する力）は解除されるので、第２のハンドル部１１２の開状態を保持することができなくなり、閉じられる。即ち、係止部１１４ｃから連通するガイド溝１１４ｄが、「付勢力解除手段」となる。
【００４４】
本発明にかかる睫毛カール器１００を使用する時は、上述の通りピン状突起１１６ａを係止部１１４ｃの位置に合わせるようにして、第２のハンドル部１１２を開方に保持する。その上で、図７に示しているように、第１のハンドル部１１０側を第一指（親指）で、第２のハンドル部１１２側を第二指（人差し指）及び第三指（中指）で操作する。
【００４５】
ハンドル部を強く握らない限り、付勢手段によって第２のハンドル部１１２は開いているので、それに伴ってスライド体１１４も下方にスライド位置しており、結果として固定アーチ１０２とゴム１０５との間には所定の隙間Ｇが形成されている（図７参照）。図示していないが、この状態で睫毛を固定アーチ１０２とゴム１０５の間に配置して使用する。
【００４６】
ハンドル部を強く握ると、第１のハンドル部１１０に対して第２のハンドル部１１２が回動しつつ接近する（図８参照）。このとき付勢棒１１６のピン状突起１１６ａがスライド体１１４の係止部１１４ｃを押圧するので、当該押圧力によってスライド体１１４が上方にスライドする。スライド体１１４には支持アーム１０８を介して可動アーチ１０４が連結されているので、可動アーチ１０４（及びゴム１０５）は固定アーチ１０２側にスライド移動し、固定アーチ１０２の下端にゴム１０５の表面が当接する。このとき、固定アーチ１０２に対してゴム１０５（及び可動アーチ１０４）は背面側に僅かにオフセット配置されているので、そのオフセット状態を保ったままで当接する。なお支持アーム１０８とスライド体１１４とはリジットに固定されているのではなく固定ピン１２２により枢支されているので、無理なモーメントが発生せず、固定アーチ１０２に対して真っ直ぐにスライドすることができる。
【００４７】
更にハンドル部を握ると、図９に示しているように、固定アーチ１０２に対して可動アーチ１０４（及びゴム１０５）がより接近する。この接近はゴム１０５が押し潰されつつ進行する。図示していないが固定アーチ１０２とゴム１０５との間には睫毛が挟持されることとなるため、当該挟持により睫毛に癖付けが行われ、結果として睫毛をカールさせることができる。
【００４８】
また、本発明における睫毛カール器１００においては、固定アーチ１０２に対して可動アーチ１０４（及びゴム１０５）が背面側（弓形状の凸方向）にオフセット配置されていた。これにより、ハンドル部を最後まで握ると、ゴム１０５が押し潰されながらオフセット量が増す方向に僅かにズレが発生する（σ１→σ２への変化）。このズレにより睫毛がより強く癖付けられるので、繰り返しハンドル部を操作して睫毛を挟持し直す必要がなく、一度の挟持でも十分に睫毛をカールさせることが可能となっている。
【００４９】
〈その他の構成例等〉
上記では、弾性体としてスプリング１１８を利用し、当該スプリング１１８の弾力を利用して付勢力を発生させていたが、スプリングに限定されるものではない。例えば、ゴム等の伸縮する素材を利用することもできる。また上記ではスプリング１１８の「縮もうとする力」を利用しているが、これとは逆に「伸びようとする力」を利用した構成を採用することも可能である。
【００５０】
また上記では、主たる部材は全てステンレス（例えばＳＵＳ３０３）で構成されているが、必要に応じて、その全部又は一部の部材を他の材料で構成することも可能である。
【００５１】
また、可動アーチ１０４の表面に備わる弾性体はゴム以外にも、例えばシリコンなどを利用してもよい。
【符号の説明】
【００５２】
１００…睫毛カール器
１００ａ…ヘッド部
１００ｂ…操作部
１０２…固定アーチ
１０４…可動アーチ
１０５…ゴム
１０６…枠体
１０８…支持アーム
１１０…第１のハンドル部
１１２…第２のハンドル部
１１４…スライド体
１１４ｃ…係止部
１１４ｄ…ガイド溝
１１６…付勢棒
１１６ａ…ピン状突起
１１８…スプリング
１２０、１２２、１２４…ピン
１２１、１２３、１２５…止め輪
【図１】
0005597470.tif 000002
【図２】
0005597470.tif 000003
【図３】
0005597470.tif 000004
【図４】
0005597470.tif 000005
【図５】
0005597470.tif 000006
【図６】
0005597470.tif 000007
【図７】
0005597470.tif 000008
【図８】
0005597470.tif 000009
【図９】
0005597470.tif 000010
【図１０】
0005597470.tif 000011